(57)【特許請求の範囲】
【請求項１】
眼科用ドレープであって、
患者の顔面の上部を覆うとともに前記患者の目に対応する開口が形成された上部被覆部と、
前記上部被覆部に連続するとともに前記患者の顔面の下部を覆う下部被覆部と、
前記下部被覆部に固定された展開用把持部と、
を備え、
前記下部被覆部が、使用前の状態において、前記患者の鼻部または口部に対応する位置にて左右方向に延びる第１折り畳み線および第２折り畳み線にて折り畳まれた折り畳み部を有し、
前記第１折り畳み線の両側の部位が、不潔領域に面する不潔面同士を対向させ、
前記第２折り畳み線の両側の部位が、清潔領域に面する清潔面同士を対向させ、
前記展開用把持部の一端が、前記第２折り畳み線近傍にて前記清潔面に接合され、前記展開用把持部が、前記第２折り畳み線から前記第１折り畳み線に向かって、前記第２折り畳み線の前記両側の部位の間から前記第１折り畳み線を越えて延び、
前記展開用把持部の他端が引っ張られることにより、前記折り畳み部が展開されることを特徴とする眼科用ドレープ。
【請求項２】
請求項１に記載の眼科用ドレープであって、
前記展開用把持部の前記一端が、前記第２折り畳み線の一方側の部位のみに接合されることを特徴とする眼科用ドレープ。
【請求項３】
請求項１に記載の眼科用ドレープであって、
前記展開用把持部の前記一端が、複数の分割端に分割されており、
前記複数の分割端のうち一の分割端が、前記第２折り畳み線の一方側の部位に接合され、他の分割端が、前記第２折り畳み線の他方側の部位に接合されることを特徴とする眼科用ドレープ。
【請求項４】
請求項１ないし３のいずれかに記載の眼科用ドレープであって、
前記下部被覆部に固定されたもう１つの展開用把持部をさらに備え、
前記下部被覆部が、前記患者の鼻部または口部に対応する位置にて前記左右方向に延びる第３折り畳み線および第４折り畳み線にて折り畳まれたもう１つの折り畳み部をさらに有し、
前記第３折り畳み線の両側の部位が、前記不潔面同士を対向させ、
前記第４折り畳み線の両側の部位が、前記清潔面同士を対向させ、
前記下部被覆部を展開した場合に、前記第１折り畳み線、前記第２折り畳み線、前記第３折り畳み線および前記第４折り畳み線が、この順にて上下方向に並び、
前記もう１つの展開用把持部の一端が、前記第４折り畳み線近傍にて前記清潔面に接合され、前記もう１つの展開用把持部が、前記第４折り畳み線から前記第３折り畳み線に向かって、前記第４折り畳み線の前記両側の部位の間から前記第３折り畳み線を越えて延びることを特徴とする眼科用ドレープ。
【請求項５】
請求項４に記載の眼科用ドレープであって、
前記展開用把持部と、前記もう１つの展開用把持部とが、他端にて、または、他端に至る途中にて互いに接合されることを特徴とする眼科用ドレープ。
【請求項６】
眼科用ドレープであって、
患者の顔面の上部を覆うとともに前記患者の目に対応する開口が形成された上部被覆部と、
前記上部被覆部に連続するとともに患者の顔面の下部を覆う下部被覆部と、
前記下部被覆部に固定された展開用把持部と、
を備え、
前記下部被覆部が、
使用前の状態において、前記患者の鼻部または口部に対応する位置にて左右方向に延びる第１折り畳み線および第２折り畳み線にて折り畳まれた折り畳み部と、
使用前の状態において、前記患者の鼻部または口部に対応する位置にて左右方向に延びる第３折り畳み線および第４折り畳み線にて折り畳まれたもう１つの折り畳み部と、
を有し、
前記第１折り畳み線の両側の部位および前記第４折り畳み線の両側の部位が、不潔領域に面する不潔面、または、清潔領域に面する清潔面のいずれか一方の面同士を対向させ、
前記第２折り畳み線の両側の部位および前記第３折り畳み線の両側の部位が、前記不潔面および前記清潔面のうちの他方の面同士を対向させ、
前記下部被覆部を展開した場合に、前記第１折り畳み線、前記第２折り畳み線、前記第３折り畳み線および前記第４折り畳み線が、この順にて上下方向に並び、
前記展開用把持部の一端が、前記第２折り畳み線と前記第３折り畳み線との間にて前記清潔面に接合され、前記展開用把持部が、前記第１折り畳み線または前記第４折り畳み線を越えて延び、
前記展開用把持部の他端が引っ張られることにより、前記折り畳み部および前記もう１つの折り畳み部が展開されることを特徴とする眼科用ドレープ。
【請求項７】
請求項１ないし６のいずれかに記載の眼科用ドレープであって、
前記下部被覆部の少なくとも前記患者の鼻部および口部に対応する部位が通気性を有さないことを特徴とする眼科用ドレープ。
【請求項８】
請求項１ないし７のいずれかに記載の眼科用ドレープであって、
前記上部被覆部に固定され、前記顔面と前記上部被覆部との間に空間を形成する保形部材をさらに備えることを特徴とする眼科用ドレープ。
【請求項９】
請求項８に記載の眼科用ドレープであって、
前記保形部材が、使用時に前記患者の鼻部上において前記左右方向に延びる帯状部材を含むことを特徴とする眼科用ドレープ。
【請求項１０】
請求項８または９に記載の眼科用ドレープであって、
前記保形部材が、使用時に前記患者の鼻部から口部に向かって延びる帯状部材を含むことを特徴とする眼科用ドレープ。
【請求項１１】
請求項８ないし１０のいずれかに記載の眼科用ドレープであって、
前記保形部材が樹脂により形成されることを特徴とする眼科用ドレープ。
【発明の詳細な説明】
【技術分野】
【０００１】
本発明は、眼科用ドレープに関する。
【背景技術】
【０００２】
従来より、手術室において外科手術等の医療処置が行われる際には、不潔領域と定められる患者の体表を医療用のドレープにて覆い、清潔領域を当該不潔領域から隔離することが行われている。
【０００３】
例えば、特許文献１では、眼科手術用ドレープにおいて、患者の鼻部および口部近傍に対応する位置に支持体を設け、当該支持体を湾曲させることにより、眼科手術用ドレープのシート体と患者の鼻孔部および口部との間に空間を形成する技術が開示されている。これにより、呼吸が苦しい等の不快感を患者に与えることが抑制される。特許文献１の眼科手術用ドレープでは、支持体近傍に、シート体を弛ませることにより形成される弛み部が設けられ、弛み部に指先等を挿入して支持体を裏面側から変形させることが提案されている。また、支持体を変形させた後、弛み部を引き出すことにより、シート体と患者の鼻孔部および口部との間に新たな空間が形成される。
【先行技術文献】
【特許文献】
【０００４】
【特許文献１】特開２０１０−２８４３８５号公報
【発明の概要】
【発明が解決しようとする課題】
【０００５】
ところで、特許文献１の眼科手術用ドレープでは、支持体を裏面側から変形させる必要があるため、弛み部は支持体に重なる位置にて、支持体の裏面側に設けられる必要がある。このため、弛み部の配置の自由度が少なく、弛み部を引き出すことにより形成される空間を、患者の不快感低減のために適切な位置に配置することが容易ではない。また、弛み部を引き出す際に、弛み部の一部を摘む必要があるが、弛み部は医師から見て奥まった位置にあるため容易に視認できず、さらに、シート体の表面は滑らかで摘みにくい。このため、弛み部を引き出して患者の鼻下部に空間を形成することは容易ではない。
【０００６】
本発明は、上記課題に鑑みなされたものであり、眼科用ドレープにて顔面を覆われた患者の鼻下部に空間を容易に形成し、患者が容易に呼吸することを目的としている。
【課題を解決するための手段】
【０００７】
請求項１に記載の発明は、眼科用ドレープであって、患者の顔面の上部を覆うとともに前記患者の目に対応する開口が形成された上部被覆部と、前記上部被覆部に連続するとともに前記患者の顔面の下部を覆う下部被覆部と、前記下部被覆部に固定された展開用把持部とを備え、前記下部被覆部が、使用前の状態において、前記患者の鼻部または口部に対応する位置にて左右方向に延びる第１折り畳み線および第２折り畳み線にて折り畳まれた折り畳み部を有し、前記第１折り畳み線の両側の部位が、不潔領域に面する不潔面同士を対向させ、前記第２折り畳み線の両側の部位が、清潔領域に面する清潔面同士を対向させ、前記展開用把持部の一端が、前記第２折り畳み線近傍にて前記清潔面に接合され、前記展開用把持部が、前記第２折り畳み線から前記第１折り畳み線に向かって、前記第２折り畳み線の前記両側の部位の間から前記第１折り畳み線を越えて延び、前記展開用把持部の他端が引っ張られることにより、前記折り畳み部が展開される。
【０００８】
請求項２に記載の発明は、請求項１に記載の眼科用ドレープであって、前記展開用把持部の前記一端が、前記第２折り畳み線の一方側の部位のみに接合される。
【０００９】
請求項３に記載の発明は、請求項１に記載の眼科用ドレープであって、前記展開用把持部の前記一端が、複数の分割端に分割されており、前記複数の分割端のうち一の分割端が、前記第２折り畳み線の一方側の部位に接合され、他の分割端が、前記第２折り畳み線の他方側の部位に接合される。
【００１０】
請求項４に記載の発明は、請求項１ないし３のいずれかに記載の眼科用ドレープであって、前記下部被覆部に固定されたもう１つの展開用把持部をさらに備え、前記下部被覆部が、前記患者の鼻部または口部に対応する位置にて前記左右方向に延びる第３折り畳み線および第４折り畳み線にて折り畳まれたもう１つの折り畳み部をさらに有し、前記第３折り畳み線の両側の部位が、前記不潔面同士を対向させ、前記第４折り畳み線の両側の部位が、前記清潔面同士を対向させ、前記下部被覆部を展開した場合に、前記第１折り畳み線、前記第２折り畳み線、前記第３折り畳み線および前記第４折り畳み線が、この順にて上下方向に並び、前記もう１つの展開用把持部の一端が、前記第４折り畳み線近傍にて前記清潔面に接合され、前記もう１つの展開用把持部が、前記第４折り畳み線から前記第３折り畳み線に向かって、前記第４折り畳み線の前記両側の部位の間から前記第３折り畳み線を越えて延びる。
【００１１】
請求項５に記載の発明は、請求項４に記載の眼科用ドレープであって、前記展開用把持部と、前記もう１つの展開用把持部とが、他端にて、または、他端に至る途中にて互いに接合される。
【００１２】
請求項６に記載の発明は、眼科用ドレープであって、患者の顔面の上部を覆うとともに前記患者の目に対応する開口が形成された上部被覆部と、前記上部被覆部に連続するとともに患者の顔面の下部を覆う下部被覆部と、前記下部被覆部に固定された展開用把持部とを備え、前記下部被覆部が、使用前の状態において、前記患者の鼻部または口部に対応する位置にて左右方向に延びる第１折り畳み線および第２折り畳み線にて折り畳まれた折り畳み部と、使用前の状態において、前記患者の鼻部または口部に対応する位置にて左右方向に延びる第３折り畳み線および第４折り畳み線にて折り畳まれたもう１つの折り畳み部とを有し、前記第１折り畳み線の両側の部位および前記第４折り畳み線の両側の部位が、不潔領域に面する不潔面、または、清潔領域に面する清潔面のいずれか一方の面同士を対向させ、前記第２折り畳み線の両側の部位および前記第３折り畳み線の両側の部位が、前記不潔面および前記清潔面のうちの他方の面同士を対向させ、前記下部被覆部を展開した場合に、前記第１折り畳み線、前記第２折り畳み線、前記第３折り畳み線および前記第４折り畳み線が、この順にて上下方向に並び、前記展開用把持部の一端が、前記第２折り畳み線と前記第３折り畳み線との間にて前記清潔面に接合され、前記展開用把持部が、前記第１折り畳み線または前記第４折り畳み線を越えて延び、前記展開用把持部の他端が引っ張られることにより、前記折り畳み部および前記もう１つの折り畳み部が展開される。
【００１３】
請求項７に記載の発明は、請求項１ないし６のいずれかに記載の眼科用ドレープであって、前記下部被覆部の少なくとも前記患者の鼻部および口部に対応する部位が通気性を有さない。
【００１４】
請求項８に記載の発明は、請求項１ないし７のいずれかに記載の眼科用ドレープであって、前記上部被覆部に固定され、前記顔面と前記上部被覆部との間に空間を形成する保形部材をさらに備える。
【００１５】
請求項９に記載の発明は、請求項８に記載の眼科用ドレープであって、前記保形部材が、使用時に前記患者の鼻部上において前記左右方向に延びる帯状部材を含む。
【００１６】
請求項１０に記載の発明は、請求項８または９に記載の眼科用ドレープであって、前記保形部材が、使用時に前記患者の鼻部から口部に向かって延びる帯状部材を含む。
【００１７】
請求項１１に記載の発明は、請求項８ないし１０のいずれかに記載の眼科用ドレープであって、前記保形部材が樹脂により形成される。
【発明の効果】
【００１８】
本発明では、患者の鼻下部に空間を容易に形成することができる。
【図面の簡単な説明】
【００１９】
【図１】第１の実施の形態に係るドレープの平面図である。
【図２】ドレープの部分断面図である。
【図３】ドレープの平面図である。
【図４】使用中のドレープの側面図である。
【図５】鼻部近傍の図である。
【図６．Ａ】第２の実施の形態に係るドレープの部分断面図である。
【図６．Ｂ】ドレープの一部を拡大して示す図である。
【図７】展開用把持部の平面図である。
【図８】第３の実施の形態に係るドレープの平面図である。
【図９】ドレープの平面図である。
【図１０】使用中のドレープの側面図である。
【図１１】第４の実施の形態に係るドレープの平面図である。
【図１２】ドレープの部分断面図である。
【図１３】使用中のドレープの側面図である。
【図１４】第５の実施の形態に係るドレープの部分断面図である。
【図１５】他のドレープの平面図である。
【図１６】他のドレープの平面図である。
【図１７】保形部材の斜視図である。
【発明を実施するための形態】
【００２０】
図１は、本発明の第１の実施の形態に係る眼科用ドレープ１（以下、単に「ドレープ１」という。）の使用前の状態を示す平面図である。ドレープ１は、滅菌処理が施されたシート状部材であり、手術室や処置室等の医療施設内において、手術等の医療処置が行われる患者の顔面等を覆うことにより、不潔領域である患者の体表から清潔領域を隔離する。図１中の左右方向は患者の顔面の左右方向に対応し、図１中の上下方向は患者の顔面の左右方向に垂直な上下方向（すなわち、鼻部が延びる方向）に対応する。
【００２１】
図１に示すように、ドレープ１は、患者の一方の目に対応する開口２０が形成された略矩形のシート部２、並びに、シート部２の患者側とは反対側の主面２１（すなわち、清潔領域に面する清潔面であり、以下、「表面２１」という。）に固定された保形部材３、展開用把持部４および医療用パウチ５を備える。医療用パウチ５は、手術時における術野からの液体（例えば、血液や体液、術野の洗浄に利用された生理食塩水等）を受ける、いわゆる受水袋であり、受液口５１がドレープ１の開口２０を向くように開口２０近傍に両面粘着テープ等で固定される。
【００２２】
シート部２の患者に対向する主面２２（すなわち、不潔領域に面する不潔面であり、以下、「裏面２２」という。）には、開口２０の周囲に粘着層２３が形成されている。ドレープ１により患者の顔面を覆う際には、医療処置が行われる一方の目に開口２０が重なるようにシート部２が配置され、目がシート部２から露出する。そして、粘着層２３が目の周囲の皮膚に貼付される。これにより、ドレープ１により患者の顔面が覆われた状態で、開口２０を介して処置対象部位である目に容易にアクセスすることができる。
【００２３】
シート部２は、好ましくは、不織布やプラスチックフィルムにより形成される。本実施の形態では、シート部２はプラスチックフィルムにより形成されるため、実質的に通気性を有さない。シート部２をこのような構造とすることにより、シート部２の表面２１に付着した血液等が、シート部２の上から力が加わった場合等にシート部２を通過し、当該血液等によりシート部２の表面２１と裏面２２とが連通してしまう（すなわち、清潔領域と不潔領域との間に当該血液等による通り道が形成されてしまう）ことが防止される。シート部２の厚さは、好ましくは、２００μｍ〜５００μｍである。シート部２の厚さを２００μｍ以上とすることにより、ドレープ１の強度を十分に確保することができ、シート部２の厚さを５００μｍ以下とすることにより、ドレープ１の風合いを柔らかくすることができる。
【００２４】
図２は、ドレープ１を図１中のＡ−Ａの位置にて切断した断面の一部を示す図である。図１および図２に示すように、シート部２は、開口２０の図１中の上側および下側に位置する２つの折り畳み部２４を有する。各折り畳み部２４は、患者の鼻部または口部に対応する位置にて左右方向に延びる２本の折り畳み線２４１ａ，２４１ｂにて折り畳まれる。各折り畳み部２４では、折り畳み部２４を展開した状態において、折り畳み線２４１ａが折り畳み線２４１ｂよりも開口２０に近い。以下の説明では、折り畳み線２４１ａ，２４１ｂをそれぞれ、「第１折り畳み線２４１ａ」および「第２折り畳み線２４１ｂ」という。
【００２５】
シート部２では、第１折り畳み線２４１ａの両側の部位（すなわち、第１折り畳み線２４１ａが境界となる２つの部位）が、裏面２２が対向するように折り返され、第２折り畳み線２４１ｂの両側の部位が、表面２１が対向するように折り返される。これにより、折り畳み部２４が形成される。換言すれば、折り畳み部２４は、シート部２が裏面２２側に折り重ねられるようにして形成される。
【００２６】
図２に示すように、各折り畳み部２４の第１折り畳み線２４１ａと第２折り畳み線２４１ｂとの間ではシート部２が３層に重なっており、当該３つの層（すなわち、第１折り畳み線２４１ａおよび第２折り畳み線２４１ｂのそれぞれの両側の部位）は、図１中に平行斜線を付して示すように、折り畳み部２４の左右方向の両端部において両面粘着テープ等により互いに接合される。以下の説明では、折り畳み部２４の両端部をそれぞれ「折り畳み端部２４３」という。折り畳み端部２４３における接合は、熱圧着や超音波圧着、または、ホットメルト接着剤による接着により行われてもよい。
【００２７】
一方、折り畳み部２４の左右方向における中央部（すなわち、２つの折り畳み端部２４３の間にて２つの折り畳み端部２４３に連続する部位であり、以下、「折り畳み中央部２４２」という。）では、折り畳み部２４の重ねられた３つの層は接合されない。折り畳み中央部２４２の左右方向の幅は、好ましくは、３０ｃｍ以上８０ｃｍ以下であり、より好ましくは、４０ｃｍ以上６０ｃｍ以下である。換言すれば、折り畳み中央部２４２の左右方向の幅は、通常の成人の鼻部および口部近傍における顔の幅の約２〜５倍であることが好ましい。
【００２８】
保形部材３は、上下方向において開口２０と各折り畳み部２４との間に位置する（すなわち、後述する上部被覆部２５に設けられた）２つの帯状部材３１を備える。各帯状部材３１は、シート部２の左右方向のおよそ中央、すなわち、折り畳み中央部２４２の左右方向のおよそ中央に配置される。帯状部材３１は、好ましくは、容易に塑性変形可能な（すなわち、形状が容易に変更可能な）樹脂により形成され、本実施の形態では、ポリエチレン等により形成される。
【００２９】
帯状部材３１は、左右方向に延びる直線状の部材であり、およそ全長に亘ってシート部２の表面２１に粘着テープ等により接合される。帯状部材３１の左右方向の長さは、折り畳み中央部２４２の左右方向の長さよりも小さく、折り畳み中央部２４２の左右方向の両端部は、帯状部材３１の両端部よりも左右方向の外側に位置する。ドレープ１の使用前の状態においては、シート部２全体が小さく折り畳まれており（例えば、上下左右に折り畳まれており）、帯状部材３１はおよそ中央において２つ折りにされる。なお、シート部２は、線状かつ平坦な帯状部材３１を変形させることなく、小さく折り畳まれてもよい。
【００３０】
２つの折り畳み中央部２４２にはそれぞれ、不織布により形成された帯状の展開用把持部４が設けられる。展開用把持部４は、折り畳み中央部２４２の左右方向のおよそ中央において上下方向に延びる。図１および図２に示すように、展開用把持部４は、折り畳み部２４の３つの層のうち第２折り畳み線２４１ｂの両側の部位である２層の間に配置され、折り畳み部２４から開口２０とは反対側に突出する。展開用把持部４の一端（すなわち、開口２０に近い側の端部４１）は、図１中において平行斜線を付して示すように、第２折り畳み線２４１ｂ近傍にてシート部２の表面２１に接合される。換言すれば、展開用把持部４は、第２折り畳み線２４１ｂから第１折り畳み線２４１ａに向かって、第２折り畳み線２４１ｂの両側の部位の間から第１折り畳み線２４１ａを越えて延びる。
【００３１】
以下の説明では、展開用把持部４のシート部２に固定される端部４１を、「固定端４１」という。また、固定端４１とは反対側の端部４２を、「自由端４２」という。図２に示すように、展開用把持部４では、固定端４１以外の部位は、シート部２と非接合である。固定端４１は、第２折り畳み線２４１ｂの近傍において、第２折り畳み線２４１ｂの第１折り畳み線２４１ａとは反対側の部位のみに、ホットメルト接着剤等により接合される。第２折り畳み線２４１ｂの近傍とは、折り畳み部２４を平面視した際に、第１折り畳み線２４１ａよりも第２折り畳み線２４１ｂに近い位置、または、第２折り畳み線２４１ｂに重なる位置を意味する。本実施の形態では、展開用把持部４の固定端４１側のエッジは、第２折り畳み線２４１ｂにおよそ一致する。
【００３２】
ドレープ１の製造では、展開用把持部４の固定端４１において、一方の面のみにホットメルト接着剤が塗布される。続いて、予め折り畳まれている折り畳み部２４において、第２折り畳み線２４１ｂの両側の部位である２層の間が少し広げられ、当該２層の間に展開用把持部４が固定端４１側から挿入される。展開用把持部４の固定端４１側のエッジが第２折り畳み線２４１ｂにおよそ一致すると、折り畳み部２４の第２折り畳み線２４１ｂ近傍が押圧され、展開用把持部４の固定端４１が、ホットメルト接着剤によりシート部２に接合される。ドレープ１では、展開用把持部４の固定端４１が、第２折り畳み線２４１ｂの一方側の部位のみに接合されるため、上述のような簡素な方法で展開用把持部４をシート部２に容易に接合することができる。
【００３３】
図３は、ドレープ１が患者の顔面９０上に広げられた状態を示す平面図である。図３では、シート部２の開口２０が患者の左目に重なるようにドレープ１が配置され、図３中の下側の帯状部材３１が、患者の鼻部９１上において鼻部９１を横切るように左右方向に延びる。また、図３中の下側の折り畳み部２４が、患者の鼻下部９１１および口部９３上に配置される。ドレープ１では、患者の顔面９０の下部を覆う下部被覆部２６が、使用前の状態において折り畳まれた折り畳み部２４を有する。また、２つの折り畳み部２４の間にて２つの折り畳み部２４に連続する部位２５が、患者の顔面９０の上部を覆うとともに開口２０が形成された上部被覆部２５となる。保形部材３の帯状部材３１は、ドレープ１の上部被覆部２５に固定され、展開用把持部４の固定端４１は、下部被覆部２６の折り畳み部２４に固定される。折り畳み部２４では、折り畳み中央部２４２の左右方向の中心は、患者の顔面９０の左右方向に垂直な中心線（すなわち、鼻梁を通る線）におよそ一致する。
【００３４】
ドレープ１の使用時には、展開用把持部４の自由端４２が、医師や看護士等により把持されて患者の顔面９０から離れる方向に引っ張られることにより、下側の折り畳み部２４の折り畳み中央部２４２が、顔面９０から離れる方向に引き上げられて広げられる（すなわち、展開される）。また、開口２０の下側の帯状部材３１が、医師や看護士等により摘まれて顔面９０から離れるように湾曲される。図４は、使用中のドレープ１の側面図であり、図５は、患者の鼻部９１近傍を下側（すなわち、口部９３側）から見た図である。図５では、帯状部材３１の位置でのドレープ１の断面を示す。図４に示すように、折り畳み部２４では、折り畳み中央部２４２が展開されることにより、折り畳み中央部２４２が患者の鼻部９１および口部９３から離れる方向に立体的に（すなわち、ドーム状に）突出する。これにより、患者の顔面９０とシート部２との間に、鼻下部９１１および口部９３から左右の頬部９２に至る空間９５１が形成される。
【００３５】
患者の鼻部９１上において左右方向に延びる帯状部材３１は、左右方向の両端部を除く部位が鼻部９１から離間するように変形した状態で形状が維持され、シート部２の上部被覆部２５が患者の鼻部９１およびその近傍から離間する。これにより、図４に示すように、上部被覆部２５と患者の顔面９０との間に、空間９５１から連続する空間９５２が形成される。以下の説明では、シート部２と顔面９０との間の空間９５１，９５２を合わせて空間９５ともいう。
【００３６】
ドレープ１では、展開用把持部４が把持されて引っ張られることにより、図４に示すように、折り畳み中央部２４２を容易に展開し、患者の鼻下部９１１に空間９５１を容易に形成することができる。これにより、シート部２が患者の鼻下部９１１、口部９３および頬部９２に密着することなく離間する。折り畳み部２４では、折り畳み中央部２４２の左右方向の幅が３０ｃｍ以上（より好ましくは、４０ｃｍ以上）であるため、折り畳み部２４の展開により十分な大きさの空間９５１を形成することができる。その結果、シート部２の鼻下部９１１、口部９３および頬部９２に対する密着が防止され、空間９５１を介して患者が容易に呼吸することが可能となる。また、折り畳み中央部２４２の左右方向の幅が８０ｃｍ以下（より好ましくは、６０ｃｍ以下）であるため、展開された折り畳み部２４の形状を容易に保持し、空間９５１を容易に維持することができる。
【００３７】
また、ドレープ１では、保形部材３の変形により、空間９５１に連続する空間９５２を鼻部９１上に形成することにより、空間９５を介して患者がより容易に呼吸することが可能となる。保形部材３は、その形状を容易に変更して維持することができるため、様々な患者の顔面形状に合わせて適切な呼吸用の空間９５を容易に形成することができる。さらに、折り畳み中央部２４２の展開により、保形部材３をあまり大きく変形させることなく空間９５を確保することができるため、ドレープ１の使用の際における保形部材３の変形作業を簡素化することができる。
【００３８】
ドレープ１では、保形部材３が、使用時に患者の鼻部９１上において左右方向に延びる帯状部材３１を備えることにより、シート部２を患者の鼻部９１から確実に離間させることができ、その結果、空間９５がより確実に維持される。さらに、帯状部材３１が上部被覆部２５の開口２０と折り畳み部２４との間に配置されることにより、折り畳み中央部２４２の展開が帯状部材３１により阻害されることが防止される。
【００３９】
このように、ドレープ１は、シート部２と患者の鼻下部９１１、口部９３および頬部９２との密着を防止して患者の呼吸を容易にすることができるため、実質的に通気性を有さないシート部２（少なくとも、患者の鼻部９１および口部９３に対応する部位が通気性を有さないシート部２）を備えるドレープに特に適している。
【００４０】
ドレープ１では、保形部材３が樹脂により形成されるため、主に不織布やプラスチックフィルム等により形成されるシート部２と保形部材３とを分別することなくドレープ１を廃棄することができる。これにより、ドレープ１の廃棄に要する作業を簡素化することができる。
【００４１】
ドレープ１は患者の左右いずれの目の手術にも利用可能であり、患者の右目の手術が行われる場合には、ドレープ１は図３に示す状態からドレープ１に垂直な軸を中心に水平面内にて１８０°回転した状態で患者の顔面９０上に配置される。そして、図３中の上側の折り畳み部２４に固定された展開用把持部４が引っ張られて折り畳み中央部２４２が展開されるとともに、図３中の上側に位置する帯状部材３１が変形される（以下の実施の形態に係るドレープにおいても同様。）。これにより、上記と同様に、折り畳み部２４が患者の鼻部９１および口部９３から離間してドーム状に突出し、患者の顔面９０とシート部２との間に、上述の空間９５が容易に形成される。その結果、シート部２が患者の鼻下部９１１、口部９３および頬部９２に密着することが防止され、空間９５を介して患者が容易に呼吸することが可能となる。
【００４２】
次に、本発明の第２の実施の形態に係る眼科用のドレープについて説明する。図６．Ａは、第２の実施の形態に係るドレープ１ａの部分断面図であり、図２に対応する。図６．Ｂは、図６．Ａに示すドレープ１ａの一部を拡大して示す断面図であり、図７は、ドレープ１ａの展開用把持部４ａを示す平面図である。図６．Ｂでは、図の理解を容易にするために、展開用把持部４ａを太実線にて描いている。ドレープ１ａでは、展開用把持部４ａの形状が、第１の実施の形態に係る展開用把持部４の形状とは異なる。また、展開用把持部４ａのシート部２に対する接合の態様も、第１の実施の形態とは異なる。ドレープ１ａの他の構成は、図１に示すドレープ１の構成と同様であり、以下の説明では、対応する構成に同符号を付す。
【００４３】
図７に示すように、展開用把持部４ａでは、固定端４１側のエッジから、自由端４２側へと長手方向に延びる切り込み４３が設けられ、固定端４１が、２つの分割端に分割される。以下の説明では、固定端４１の図７中における左側の部位を「第１固定端４１ａ」といい、右側の部位を「第２固定端４１ｂ」という。
【００４４】
展開用把持部４ａがシート部２に接合される際には、第１固定端４１ａの一方の面にホットメルト接着剤が塗布され、第２固定端４１ｂの他方の面にホットメルト接着剤が塗布される。図７では、ホットメルト接着剤が塗布される領域に平行斜線を付す。続いて、図６．Ａに示すように、予め折り畳まれている折り畳み部２４において、第２折り畳み線２４１ｂの両側の部位である２層の間に、展開用把持部４ａが固定端４１側から挿入される。そして、折り畳み部２４の第２折り畳み線２４１ｂ近傍が押圧されることにより、図６．Ｂに示すように、展開用把持部４ａの第１固定端４１ａが、第２折り畳み線２４１ｂの第１折り畳み線２４１ａとは反対側にて、第２折り畳み線２４１ｂの近傍に接合される。また、展開用把持部４ａの第２固定端４１ｂは、折り畳み部２４の第１折り畳み線２４１ａと第２折り畳み線２４１ｂとの間にて、第２折り畳み線２４１ｂの近傍に接合される。換言すれば、第２折り畳み線２４１ｂの近傍において、第１固定端４１ａが第２折り畳み線２４１ｂの一方側の部位に接合され、第２固定端４１ｂが第２折り畳み線２４１ｂの他方側の部位に接合される。
【００４５】
図６．Ａに示すドレープ１ａの使用時には、展開用把持部４ａが医師や看護士等により把持されて引っ張られることにより、折り畳み中央部２４２が容易に展開される。また、帯状部材３１が、医師や看護士等により摘まれ、患者の顔面から離れるように変形される。これにより、折り畳み中央部２４２が患者の顔面から離れ、第１の実施の形態と同様に、患者の顔面とシート部２との間に空間９５（図４参照）が容易に形成される。その結果、シート部２が患者の鼻下部、口部および頬部に密着することが防止され、空間９５を介して患者が容易に呼吸することが可能となる。
【００４６】
ドレープ１ａでは、展開用把持部４ａの固定端４１が２つに分割され、第２折り畳み線２４１ｂの両側の部位に接合されるため、折り畳み部２４の最も奥の部位（すなわち、第１折り畳み線２４１ａから最も遠い部位）である第２折り畳み線２４１ｂ近傍の部位を容易に引き出すことができる。その結果、空間９５をより容易に大きく形成することができる。なお、展開用把持部４ａの固定端４１は、３つ以上の分割端に分割されてもよい。すなわち、展開用把持部４ａの固定端４１は、複数の分割端に分割される。
【００４７】
次に、本発明の第３の実施の形態に係る眼科用のドレープについて説明する。図８は、第３の実施の形態に係るドレープ１ｂを示す平面図である。ドレープ１ｂでは、保形部材３ａが、図１に示す２本の帯状部材３１に代えて、図８中の上下方向に直線状に伸びる２本の帯状部材３１ａを備える。ドレープ１ｂの他の構成は、図１に示すドレープ１の構成と同様であり、以下の説明では、対応する構成に同符号を付す。
【００４８】
各帯状部材３１ａは、折り畳み中央部２４２の左右方向のおよそ中央に配置され、平面視において展開用把持部４と重なっている。図８中において開口２０よりも上側に位置する帯状部材３１ａの下端部は、上部被覆部２５の開口２０と上側の折り畳み部２４との間にてシート部２の裏面２２に接合され（すなわち、固定され）、下端部以外の部位は、シート部２の裏面２２側にて、シート部２に接合されることなく折り畳み部２４を上下方向に横切る。開口２０よりも下側に位置する帯状部材３１ａの上端部は、上部被覆部２５の開口２０と下側の折り畳み部２４との間にてシート部２の裏面２２に接合され、上端部以外の部位は、シート部２の裏面２２側にてシート部２に接合されることなく折り畳み部２４を上下方向に横切る。図８では、図の理解を容易にするために、帯状部材３１ａを細実線にて描いている（図９、図１５および図１６においても同様）。ドレープ１ｂの使用前の状態においては、第１の実施の形態と同様に、シート部２全体が小さく折り畳まれている。
【００４９】
図９は、ドレープ１ｂが患者の顔面９０上に広げられた状態を示す平面図である。図９では、シート部２の開口２０が患者の左目に重なるようにドレープ１ｂが配置され、図９中の下側の帯状部材３１ａは、患者の顔面９０の左右方向の略中央において患者の鼻部９１から口部９３に向かって上下方向に伸びる。また、図９中の下側の折り畳み部２４が、患者の鼻下部９１１および口部９３上に配置される。本実施の形態では、下側の帯状部材３１ａの上端部は鼻部９１の上下方向の略中央上に位置し、下端部は口部９３よりも下側（より好ましくは、下顎部の輪郭から下側に突出した位置）に位置している。
【００５０】
ドレープ１ｂの使用時には、図９中の下側の展開用把持部４が、医師や看護士等により把持されて引っ張られることにより、折り畳み中央部２４２が容易に展開される。また、下側の帯状部材３１ａが、医師や看護士等によりシート部２の表面２１側から摘まれ、患者の顔面９０から離れるように変形される。これにより、図１０に示すように、折り畳み中央部２４２が患者の顔面９０から離れ、第１の実施の形態と同様に、患者の顔面９０とシート部２との間に空間９５が容易に形成される。その結果、シート部２が患者の鼻下部９１１、口部９３および頬部９２に密着することが防止され、空間９５を介して患者が容易に呼吸することが可能となる。また、保形部材３ａの形状を容易に変更して維持することができるため、様々な患者の顔面形状に合わせて適切な呼吸用の空間９５を容易に形成することができる。ドレープ１ｂでは、保形部材３ａが、使用時に患者の鼻部９１から口部９３に向かって伸びる帯状部材３１ａを備えることにより、シート部２を患者の鼻下部９１１、口部９３および頬部９２からより確実に離間させることができ、その結果、空間９５がより確実に維持される。
【００５１】
次に、本発明の第４の実施の形態に係るドレープについて説明する。図１１は、第４の実施の形態に係るドレープ１ｃの使用前の状態を示す平面図であり、図１２はドレープ１ｃを図１１中のＢ−Ｂの位置にて切断した断面の一部を示す図である。図１１および図１２に示すように、ドレープ１ｃでは、開口２０の上下に位置する２つの下部被覆部２６がそれぞれ、折り畳み部２４に加えて、もう１つの折り畳み部２４ａを有する。また、展開用把持部４に加えて、もう１つの展開用把持部４ｂが各下部被覆部２６に固定される。ドレープ１ｃの他の構成は、図１に示すドレープ１の構成と同様であり、対応する構成に同符号を付す。
【００５２】
以下の説明では、折り畳み部２４，２４ａをそれぞれ、「第１折り畳み部２４」および「第２折り畳み部２４ａ」という。また、展開用把持部４，４ｂをそれぞれ、「第１展開用把持部４」および「第２展開用把持部４ｂ」という。第２折り畳み部２４ａは、第１折り畳み部２４の開口２０とは反対側に設けられる。第２折り畳み部２４ａは、患者の鼻部または口部に対応する位置にて左右方向に伸びる２本の折り畳み線２４１ｃ，２４１ｄにて折り畳まれる。以下の説明では、折り畳み線２４１ｃ，２４１ｄをそれぞれ、「第３折り畳み線２４１ｃ」および「第４折り畳み線２４１ｄ」という。
【００５３】
シート部２では、第１折り畳み部２４および第２折り畳み部２４ａを展開した場合に、第１折り畳み線２４１ａが開口２０に最も近く、開口２０から離れる上下方向に、第１折り畳み線２４１ａ、第２折り畳み線２４１ｂ、第３折り畳み線２４１ｃおよび第４折り畳み線２４１ｄが、この順にて並ぶ。第３折り畳み線２４１ｃの両側の部位（すなわち、第３折り畳み線２４１ｃが境界となる２つの部位）は、裏面２２が対向するように折り返され、第４折り畳み線２４１ｄの両側の部位は、表面２１が対向するように折り返される。これにより、第２折り畳み部２４ａが形成される。換言すれば、第２折り畳み部２４ａも、第１折り畳み部２４と同様に、シート部２が裏面２２側に折り重ねられるようにして形成される。
【００５４】
図１２に示すように、第１折り畳み部２４の第１折り畳み線２４１ａと第２折り畳み線２４１ｂとの間、および、第２折り畳み部２４ａの第３折り畳み線２４１ｃと第４折り畳み線２４１ｄとの間では、シート部２が３層に重なっている。当該３つの層（すなわち、折り畳み線２４１ａ〜２４１ｄのそれぞれの両側の部位）は、図１１中に平行斜線を付して示す折り畳み端部２４３において、両面粘着テープ等により互いに接合される。一方、第１折り畳み部２４および第２折り畳み部２４ａのそれぞれの折り畳み中央部２４２では、重ねられた３つの層は接合されない。折り畳み中央部２４２の左右方向の幅は、３０ｃｍ以上８０ｃｍ以下であり、好ましくは、４０ｃｍ以上６０ｃｍ以下である。
【００５５】
図１１および図１２に示すように、第２折り畳み部２４ａの折り畳み中央部２４２には、第１展開用把持部４と同様に、不織布により形成された帯状の第２展開用把持部４ｂが設けられる。第２展開用把持部４ｂは、折り畳み中央部２４２の左右方向のおよそ中央において上下方向に延びる。第２展開用把持部４ｂは、第２折り畳み部２４ａの３つの層のうち第４折り畳み線２４１ｄの両側の部位である２層の間に配置され、第２折り畳み部２４ａから開口２０とは反対側に突出する。第２展開用把持部４ｂの一端（すなわち、開口２０に近い側の端部である固定端４１）は、図１１中において平行斜線を付して示すように、第４折り畳み線２４１ｄ近傍にてシート部２の表面２１に接合される。換言すれば、第２展開用把持部４ｂは、第４折り畳み線２４１ｄから第３折り畳み線２４１ｃに向かって、第４折り畳み線２４１ｄの両側の部位の間から第３折り畳み線２４１ｃを越えて延びる。
【００５６】
図１２に示すように、第２展開用把持部４ｂの固定端４１は、第４折り畳み線２４１ｄの近傍において、第４折り畳み線２４１ｄの第３折り畳み線２４１ｃとは反対側の部位のみに、ホットメルト接着剤等により接合される。第４折り畳み線２４１ｄの近傍とは、第２折り畳み部２４ａを平面視した際に、第３折り畳み線２４１ｃよりも第４折り畳み線２４１ｄに近い位置、または、第４折り畳み線２４１ｄに重なる位置を意味する。本実施の形態では、第２展開用把持部４ｂの固定端４１側のエッジは、第４折り畳み線２４１ｄにおよそ一致する。第２展開用把持部４ｂでは、固定端４１以外の部位は、シート部２と非接合である。
【００５７】
第１展開用把持部４の長さは、第２展開用把持部４ｂの長さよりも長く、第１展開用把持部４の自由端４２と第２展開用把持部４ｂの自由端４２とは、ホットメルト接着剤等により互いに接合される。図１１では、図の理解を容易にするために、第２展開用把持部４ｂの幅を第１展開用把持部４の幅よりも大きく描いているが、実際には、第１展開用把持部４の幅と第２展開用把持部４ｂの幅とは等しい。なお、第２展開用把持部４ｂの幅は、第１展開用把持部４の幅よりも大きくてもよく、小さくてもよい。
【００５８】
ドレープ１ｃの使用時には、図１２に示す第１展開用把持部４および第２展開用把持部４ｂの自由端４２が、医師や看護士等によりまとめて把持されて引っ張られることにより、第１折り畳み部２４および第２折り畳み部２４ａが容易に展開される。これにより、図１３に示すように、第１折り畳み部２４および第２折り畳み部２４ａの折り畳み中央部２４２が患者の顔面９０から離れ、第１の実施の形態と同様に、患者の顔面９０とシート部２との間に、鼻下部９１１および口部９３から左右の頬部９２に至る空間９５１が容易に形成される。また、帯状部材３１が、医師や看護士等により摘まれ、患者の顔面から離れるように変形されることにより、シート部２の上部被覆部２５が患者の鼻部９１およびその近傍から離間し、上部被覆部２５と患者の顔面９０との間に、空間９５１から連続する空間９５２が形成される。
【００５９】
ドレープ１ｃでは、シート部２の下部被覆部２６が、第１折り畳み部２４および第２折り畳み部２４ａを有することにより、第１折り畳み部２４および第２折り畳み部２４ａを展開した際に空間９５１をより大きくすることができる。これにより、シート部２が患者の鼻下部９１１、口部９３および頬部９２に密着することがより確実に防止される。その結果、空間９５（すなわち、空間９５１および空間９５２）を介して、患者がより容易に呼吸することが可能となる。ドレープ１ｃでは、保形部材３の変形により、空間９５１に連続する空間９５２を鼻部９１上に形成することにより、患者がさらに容易に呼吸することが可能となる。
【００６０】
ドレープ１ｃでは、図１２に示すように、第１展開用把持部４と第２展開用把持部４ｂとが、自由端４２にて互いに接合される。これにより、第１展開用把持部４および第２展開用把持部４ｂをまとめて容易に把持することができる。このため、第１展開用把持部４および第２展開用把持部４ｂを同時に引っ張って、第１折り畳み部２４および第２折り畳み部２４ａを同時に展開することができる。
【００６１】
第１展開用把持部４と第２展開用把持部４ｂとは、自由端４２に至る途中にて（すなわち、固定端４１と自由端４２との間にて）互いに接合されてもよい。この場合であっても、第１展開用把持部４および／または第２展開用把持部４ｂの自由端４２を把持して引っ張ることにより、第１展開用把持部４および第２展開用把持部４ｂが同時に引っ張られ、第１折り畳み部２４および第２折り畳み部２４ａを同時に展開することができる。なお、第１展開用把持部４および第２展開用把持部４ｂの自由端４２を同時に把持するという観点からは、第１展開用把持部４と第２展開用把持部４ｂとは、第３折り畳み線２４１ｃの開口２０とは反対側において、自由端４２に近い位置にて接合されることが好ましい。
【００６２】
次に、本発明の第５の実施の形態に係るドレープについて説明する。図１４は、第５の実施の形態に係るドレープ１ｄの部分断面図であり、図１２に対応する。ドレープ１ｄでは、第２折り畳み部２４ｂの形状が、図１２に示すドレープ１ｃの第２折り畳み部２４ａと異なる。また、各下部被覆部２６には１本の展開用把持部４が固定される。ドレープ１ｄの他の構成は、図１１および図１２に示すドレープ１ｃの構成と同様であり、対応する構成に同符号を付す。
【００６３】
図１４に示すように、第２折り畳み部２４ｂは、第１折り畳み部２４の開口２０（図１１参照）とは反対側に設けられる。第２折り畳み部２４ｂは、患者の鼻部または口部に対応する位置にて左右方向に伸びる第３折り畳み線２４１ｃおよび第４折り畳み線２４１ｄにて折り畳まれる。第２折り畳み部２４ｂでは、使用前の状態において、第３折り畳み線２４１ｃの両側の部位が、表面２１が対向するように折り返され、第４折り畳み線２４１ｄの両側の部位が、裏面２２が対向するように折り返される。シート部２では、第１折り畳み部２４および第２折り畳み部２４ｂを展開した場合に、第１折り畳み線２４１ａが開口２０に最も近く、開口２０から離れる上下方向に、第１折り畳み線２４１ａ、第２折り畳み線２４１ｂ、第３折り畳み線２４１ｃおよび第４折り畳み線２４１ｄが、この順にて並ぶ。
【００６４】
展開用把持部４の固定端４１は、第２折り畳み線２４１ｂと第３折り畳み線２４１ｃとの間にて、シート部２の表面２１にホットメルト接着剤等により接合される。本実施の形態では、固定端４１は、平面視において第１折り畳み部２４に重なっており、展開用把持部４は、第１折り畳み線２４１ａと第４折り畳み線２４１ｄとの間から、第４折り畳み線２４１ｄを越えて第２折り畳み部２４ｂ上（すなわち、第２折り畳み部２４ｂの患者とは反対側）に延びる。固定端４１が、平面視において第２折り畳み部２４ｂに重なっている場合等、展開用把持部４は、第１折り畳み線２４１ａと第４折り畳み線２４１ｄとの間から、第１折り畳み線２４１ａを越えて第１折り畳み部２４上に延びてもよい。すなわち、展開用把持部４は、第１折り畳み線２４１ａまたは第４折り畳み線２４１ｄを越えて延びる。
【００６５】
ドレープ１ｄの使用時には、展開用把持部４の自由端４２が、医師や看護士等により把持されて引っ張られることにより、シート部２の第２折り畳み線２４１ｂと第３折り畳み線２４１ｃとの間が引き上げられ、第１折り畳み部２４および第２折り畳み部２４ｂが容易に展開される。また、帯状部材３１が、医師や看護士等により摘まれ、患者の顔面から離れるように変形される。これにより、ドレープ１ｃと同様に、患者の顔面とシート部２との間に空間９５（図１３参照）が容易に形成される。
【００６６】
ドレープ１ｄでは、シート部２の下部被覆部２６が、第１折り畳み部２４および第２折り畳み部２４ｂを有することにより、第１折り畳み部２４および第２折り畳み部２４ｂを展開した際に空間９５をより大きくすることができる。その結果、空間９５を介して、患者がより容易に呼吸することが可能となる。ドレープ１ｄでは、第２折り畳み線２４１ｂと第３折り畳み線２４１ｃとの間に固定された１本の展開用把持部４を引っ張ることにより、第１折り畳み部２４および第２折り畳み部２４ｂを同時に容易に展開することができる。また、展開用把持部４が、第１折り畳み線２４１ａまたは第４折り畳み線２４１ｄを越えて延びるため、展開用把持部４を容易に把持することができる。
【００６７】
以上、本発明の実施の形態について説明してきたが、本発明は上記実施の形態に限定されるものではなく、様々な変更が可能である。
【００６８】
例えば、第１の実施の形態に係るドレープ１では、展開用把持部４の固定端４１は、第２折り畳み線２４１ｂと第１折り畳み線２４１ａとの間のみにおいて、シート部２の表面２１に接合されてもよい。このように、展開用把持部４の固定端４１が、第２折り畳み線２４１ｂの一方側の部位のみに接合されることにより、予め形成された折り畳み部２４に、展開用把持部４を容易に接合することができる。なお、折り畳み部２４が形成される前に展開用把持部４の接合が行われる場合等、展開用把持部４の固定端４１が、第２折り畳み線２４１ｂを跨いで第２折り畳み線２４１ｂの両側の部位に接合されてもよい。
【００６９】
展開用把持部４，４ａは、プラスチックフィルム等、不織布以外の様々な材料により形成されてよい。展開用把持部は、帯状には限定されず、紐状やシート状であってもよい。ただし、展開用把持部として使用する材料を少なくし、かつ、展開用把持部を容易に把持するという観点からは、展開用把持部が帯状であることがより好ましい。なお、展開用把持部は、折り畳み部の展開後、必要に応じてシート部２から取り外し可能なように、着脱自在にシート部２に固定されてもよい。
【００７０】
保形部材の形状は、様々に変更されてよい。例えば、図１５に示すドレープ１ｅでは、保形部材３ｂが、４本の帯状部材３１ｂを備える。帯状部材３１ｂは、開口２０近傍から、図１５中の上下方向および左右方向に対して傾斜する方向（すなわち、略矩形のシート部２の各辺に対して傾斜する方向）に、それぞれ直線状に伸びる。図１５中において開口２０よりも下側に位置する２本の帯状部材３１ｂの左右方向の間の距離は、図１５中の上側から下側に向かうに従って大きくなる。換言すれば、当該２本の帯状部材３１ｂは、上端部が下端部よりも互いに近接したハの字型に配置される。開口２０よりも上側に位置する２本の帯状部材３１ｂは、下端部が上端部よりも互いに近接した逆ハの字型に配置される。各帯状部材３１ｂでは、上下方向に関して開口２０に近い端部が、上部被覆部２５の開口２０と折り畳み部２４との間にてシート部２の裏面２２に接合され、当該端部以外の部位は、シート部２の裏面２２側にてシート部２に接合されることなく折り畳み部２４を上下方向に横切る。
【００７１】
ドレープ１ｅの使用時には、図１５中における開口２０の下側の２本の帯状部材３１ｂが、患者の鼻部９１から左右の頬部９２に向かって（すなわち、口部９３を間に挟んで）伸びるように、ドレープ１ｅが患者の顔面９０上に配置される。２本の帯状部材３１ｂの上端部は、鼻部９１の上下方向の略中央の左右両側に位置し、下端部は左右の頬部９２よりも下側（すなわち、下顎部の輪郭から下側に突出した位置）に位置する。ドレープ１ｅでは、図１５中の下側の展開用把持部４が、医師や看護士等により把持されて引っ張られることにより、折り畳み中央部２４２が容易に展開される。また、下側の２本の帯状部材３１ｂが、医師や看護士等によりシート部２の表面２１側から摘まれ、患者の顔面９０から離れるように変形される。これにより、患者の顔面９０とシート部２との間に、鼻下部９１１および口部９３から左右の頬部９２に至る空間が容易に形成される。
【００７２】
また、図１６に示すドレープ１ｆでは、保形部材３ｃが、８本の帯状部材３１ｃを備える。２つの折り畳み部２４上にはそれぞれ、格子状に接合された４本の帯状部材３１ｃが配置される。格子状の４本の帯状部材３１ｃのうち、上下方向に伸びる２本の帯状部材３１ｃの開口２０側の端部は、上部被覆部２５の開口２０と折り畳み部２４との間にてシート部２の裏面２２に接合され、当該２本の帯状部材３１ｃの他の部位、および、左右方向に伸びる他の２本の帯状部材３１ｃはシート部２には接合されない。
【００７３】
ドレープ１ｆの使用時には、図１６中の下側の展開用把持部４が、医師や看護士等により把持されて引っ張られることにより、折り畳み中央部２４２が容易に展開される。また、下側の４本の帯状部材３１ｃが、医師や看護士等によりシート部２の表面２１側から摘まれ、図１７に示すように、中央部３１５が患者の顔面から離れる方向に突出するドーム状に変形される。これにより、患者の顔面９０とシート部２との間に、鼻下部９１１および口部９３から左右の頬部９２に至る空間が容易に形成される。
【００７４】
第１ないし第４の実施の形態に係るドレープでは、折り畳み部は、シート部２が表面２１側に折り重ねられるようにして形成されてもよい。すなわち、折り畳み部を展開した状態において開口２０から数えて奇数番目の折り畳み線の両側の部位が表面２１が対向するように折り返され、偶数番目の折り畳み線の両側の部位が裏面２２が対向するように折り返される。
【００７５】
例えば、図２に示すドレープ１では、折り畳み線２４１ａの両側の部位が表面２１が対向するように折り返され、折り畳み線２４１ｂの両側の部位が裏面２２が対向するように折り返されることにより、折り畳み部２４が形成される。この場合、展開用把持部４の固定端４１は、折り畳み線２４１ａ近傍にてシート部２の表面２１に接合される。また、展開用把持部４は、折り畳み線２４１ａから折り畳み線２４１ｂに向かって、折り畳み線２４１ａの両側の部位の間から折り畳み線２４１ｂを越えて延びる。
【００７６】
また、図１２に示すドレープ１ｃでは、折り畳み線２４１ａ，２４１ｃの両側の部位が表面２１が対向するように折り返され、折り畳み線２４１ｂ，２４１ｄの両側の部位が裏面２２が対向するように折り返されることにより、折り畳み部２４，２４ａが形成される。この場合、展開用把持部４，４ｂの固定端４１はそれぞれ、折り畳み線２４１ａ近傍および折り畳み線２４１ｃ近傍にてシート部２の表面２１に接合される。展開用把持部４は、折り畳み線２４１ａから折り畳み線２４１ｂに向かって、折り畳み線２４１ａの両側の部位の間から折り畳み線２４１ｂを越えて延びる。展開用把持部４ｂは、折り畳み線２４１ｃから折り畳み線２４１ｄに向かって、折り畳み線２４１ｃの両側の部位の間から折り畳み線２４１ｄを越えて延びる。
【００７７】
一方、図１４に示すドレープ１ｄでは、第１折り畳み線２４１ａおよび第４折り畳み線２４１ｄの両側の部位が表面２１が対向するように折り返され、第２折り畳み線２４１ｂおよび第３折り畳み線２４１ｃの両側の部位が裏面２２が対向するように折り返されることにより、第１折り畳み部２４および第２折り畳み部２４ｂが形成されてもよい。当該構造とすることにより、ドレープ１ｄと同様に、第１折り畳み部２４および第２折り畳み部２４ｂを展開した際に空間９５をより大きくすることができる。また、固定端４１が第２折り畳み線２４１ｂと第３折り畳み線２４１ｃとの間にてシート部２の表面２１に固定された展開用把持部４を引っ張ることにより、第１折り畳み部２４および第２折り畳み部２４ｂを同時に容易に展開することができる。
【００７８】
上記実施の形態に係るドレープの折り畳み部では、折り畳み端部２４３におけるシート部２の接合は行われなくてもよい。また、シート部２の各下部被覆部２６には、３つ以上の折り畳み部が設けられてもよい。
【００７９】
上述のドレープでは、使用前にドレープを小さく折り畳むことができるのであれば、保形部材は必ずしも線状または平坦でなくてもよく、一般的な患者の顔面に合わせることができるのであれば、保形部材の形状は変更不能であってもよい。ドレープでは、保形部材が樹脂以外の材料（例えば、アルミニウム（Ａｌ）等の金属）により形成されている場合であっても、患者が容易に呼吸することが可能となる。また、ドレープでは、患者の両目に対応する２つの開口がシート部２に形成されてもよく、この場合、２つの開口の下側にのみ保形部材および折り畳み部が設けられる。
【００８０】
上記実施の形態および各変形例における構成は、相互に矛盾しない限り適宜組み合わせられてよい。
【符号の説明】
【００８１】
１，１ａ〜１ｄ    ドレープ
４，４ａ，４ｂ    展開用把持部
３，３ａ    保形部材
２０    開口
２１    表面
２２    裏面
２４，２４ａ，２４ｂ    折り畳み部
２５    上部被覆部
２６    下部被覆部
３１，３１ａ    帯状部材
４１    固定端
４１ａ    第１固定端
４１ｂ    第２固定端
４２    自由端
９０    顔面
９１    鼻部
９３    口部
２４１ａ    第１折り畳み線
２４１ｂ    第２折り畳み線
２４１ｃ    第３折り畳み線
２４１ｄ    第４折り畳み線
９５２    空間
【図１】
0005698021.tif 000002
【図２】
0005698021.tif 000003
【図３】
0005698021.tif 000004
【図４】
0005698021.tif 000005
【図５】
0005698021.tif 000006
【図６．Ａ】
0005698021.tif 000007
【図６．Ｂ】
0005698021.tif 000008
【図７】
0005698021.tif 000009
【図８】
0005698021.tif 000010
【図９】
0005698021.tif 000011
【図１０】
0005698021.tif 000012
【図１１】
0005698021.tif 000013
【図１２】
0005698021.tif 000014
【図１３】
0005698021.tif 000015
【図１４】
0005698021.tif 000016
【図１５】
0005698021.tif 000017
【図１６】
0005698021.tif 000018
【図１７】
0005698021.tif 000019